(57)【要約】【課題】            受部による挿し込み部の保持力が弱いことも含めて係合ロック状態の精度が悪く、軽微な衝撃でも外れてしまう虞があったという点であり、挿し込み部の受部への挿入方向性が規制されてしまっていたという点である。【解決手段】        フレキシブルなループ成形材の一端に挿し込み部を一体的に備え、他端には前記挿し込み部が挿し込み嵌合される溝部を設けた受部を一体的に備え、前記した受部の溝部にはその軸線方向に沿って挿し込み部が嵌め入れられるスリットを形成したリリース可能なアタッチ部材において、前記、挿し込み部は頭部先端を球面状とした円柱状とし、一以上の径を小さくした括れ部を形成し、受部には前記スリットと連続して頭部と括れ部によって形成される段部の係止部が形成されていることとする。【選択図】          図８
2015007679.tif 000002
【特許請求の範囲】
【請求項１】
フレキシブルなループ成形材の一端に挿し込み部を一体的に備え、他端には前記挿し込み部が挿し込み嵌合される溝部を設けた受部を一体的に備え、前記した受部の溝部にはその軸線方向に沿って挿し込み部が嵌め入れられるスリットを形成したリリース可能なアタッチ部材において、前記、挿し込み部は頭部先端を球面状とした円柱状とし、一以上の径を小さくした括れ部を形成し、受部には前記スリットと連続して頭部と括れ部によって形成される段部の係止部が形成されていることを特徴とするリリース可能なアタッチ部材。
【請求項２】
前記した受部に形成されたスリットの最奥部分には挿し込み部の頭部先端が略直交して挿し込まれる受凹部を形成し、挿し込み部はその受凹部に挿し込んで後に、スリットに沿って略９０度傾倒させて嵌合されることで係合状態とされることを特徴とする請求項１に記載のリリース可能なアタッチ部材。
【請求項３】
前記した溝部にはスリットの下面をアンダーカットしてあり、挿し込み部の傾倒嵌合後スリット方向への脱落を防止していることを特徴とする請求項２に記載のリリース可能なアタッチ部材。
【請求項４】
前記した受部はスリット形成面の反対側に一対の連通する開口を形成することで挿し込み部の傾倒嵌合後の脱落を防止していることを特徴とする請求項１または請求項２に記載のリリース可能としたアタッチ部材。
【請求項５】
前記した受部の外側面には摘み用の凹面が形成されていることを特徴とする請求項１から４のうち１項に記載のリリース可能なアタッチ部材。
【請求項６】
前記した受部はスリットに沿う両側壁を内方に向けて相互に膨出させた弓なりの弧面としてあることを特徴とする請求項１から５のうち１項に記載のリリース可能なアタッチ部材。
【請求項７】
前記した受部の外面は滑面とされていることを特徴とする請求項１、請求項２、請求項３、請求項５または請求項６に記載のリリース可能なアタッチ部材。
【請求項８】
前記した挿し込み部の受部との係合ロック位置から、受部の外部へ露出する端面までの長さは、挿し込み部全体の長さの半分以下の短寸としてあることを特徴とする請求項１から７のうち１項に記載のリリース可能なアタッチ部材。
【請求項９】
前記した挿し込み部と、受部のうち少なくとも一方のループ成形材と連結される基端部分にパドル状部を一体的に備えていることを特徴とする請求項１から８のうち１項に記載のリリース可能なアタッチ部材。
【請求項１０】
前記した受部の外表面に取り付け対象物のデータを表示する表示部を一体的に備えていることを特徴とする請求項１から９のうち１項に記載のリリース可能なアタッチ部材。
【請求項１１】
前記した表示部にはデータを電子的に記録したＩＣチップを備えていることを特徴とする請求項１０に記載のリリース可能なアタッチ部材。
【発明の詳細な説明】
【技術分野】
【０００１】
本発明はリリース可能なアタッチ部材、特に商品に対し、価格や品質等のデータを記したタグを吊持させるためのループを形成し取り付けること、あるいは複数の商品を連結するために使用されるアタッチ部材に関し、しかもその形成されたループのロックを解除し、タグの変更、対象商品の変更を可能とし、さらに、繰り返しての使用も可能となるリリース可能なアタッチ部材の改良に関する。
【背景技術】
【０００２】
従来、係る製品としては特許文献１として示したものが開陳されている。しかしながら、この特許文献１に記載の技術にあってはループ成形時の係合ロック状態の精度が悪く、ガタ付きが生じ易く、また、軽微な衝撃が加えられても係合ロック状態が外れてしまう虞を有しており、部分に複雑な形状加工を施す必要がある。また、その係合のための構造から、挿し込み部を受部へ挿し込むための方向性が規制され、ランダムな方向性では係合させることが困難な構成となっている。
【先行技術文献】
【特許文献】
【０００３】
【特許文献１】特開平９−１６０８４号公報
【発明の概要】
【発明が解決しようとする課題】
【０００４】
本発明が解決しようとする問題点は、タグを吊持したり、商品を連結するために使用され、リリース（ロック解除）を可能としたアタッチ部材にあって、従来は、受部による挿し込み部の保持力が弱いことも含めて係合ロック状態の精度が悪く、軽微な衝撃でも外れてしまう虞があったという点であり、挿し込み部の受部への挿入方向性が規制されてしまっていたという点であり、加えて、挿し込み部を嵌合した受部の外表面に凹凸が存在するため、商品や他に使用するアタッチ部材やタグ等と引っ掛かってしまう虞があり、商品に損傷を与えてしまうこともあったという点である。
【課題を解決するための手段】
【０００５】
上記した問題点を解決するために、本発明に係るリリース可能なアタッチ部材は、フレキシブルなループ成形材の一端に挿し込み部を一体的に備え、他端には前記挿し込み部が挿し込み嵌合される溝部を設けた受部を一体的に備え、前記した受部の溝部にはその軸線方向に沿って挿し込み部が嵌め入れられるスリットを形成したリリース可能なアタッチ部材において、前記、挿し込み部は頭部先端を球面状とした円柱状とし、一以上の径を小さくした括れ部を形成し、受部には前記スリットと連続して頭部と括れ部によって形成される段部の係止部が形成されていることを特徴としている。
【０００６】
また、本発明に係るリリース可能なアタッチ部材は、前記した受部に形成されたスリットの最奥部分には挿し込み部の頭部先端が略直交して挿し込まれる受凹部を形成し、挿し込み部はその受凹部に挿し込んで後に、スリットに沿って略９０度傾倒させて嵌合されることで係合状態とされることを特徴とし、前記した溝部にはスリットの下面をアンダーカットしてあり、挿し込み部の傾倒嵌合後スリット方向への脱落を防止していることを特徴とし、前記した受部はスリット形成面の反対側に一対の連通する開口を形成することで挿し込み部の傾倒嵌合後の脱落を防止していることを特徴としている。
【０００７】
さらに、本発明に係るリリース可能なアタッチ部材は、前記した受部の外側面には摘み用の凹面が形成されていることを特徴とし、前記した受部はスリットに沿う両側壁を内方に向けて相互に膨出させた弓なりの弧面としてあることを特徴とし、前記した受部の外面は滑面とされていることを特徴としている。
【０００８】
そして、本発明に係るリリース可能なアタッチ部材は、前記した挿し込み部の受部との係合ロック位置から、受部の外部へ露出する端面までの長さは、挿し込み部全体の長さの半分以下の短寸としてあることを特徴としてあることを特徴とし、前記した挿し込み部と、受部のうち少なくとも一方のループ成形材と連結される基端部分にパドル状部を一体的に備えていることを特徴とし、前記した受部の外表面に取り付け対象物のデータを表示する表示部を一体的に備えていることを特徴とし、前記した表示部にはデータを電子的に記録したＩＣチップを備えていることを特徴としている。
【発明の効果】
【０００９】
本発明に係るリリース可能なアタッチ部材は上記のように構成されている。そのため、挿し込み部と受部の嵌合状態は精巧なものとなって、軽微な衝撃ではロック状態が外れてしまうこともなくなり、挿し込み部の挿し込み作業も挿し込み部をランダムな位置方向性で行なうことが可能となり、また、受部の外表面は凹凸のない滑面として、対象商品や他のアタッチ部材、タグ等と引っ掛かってしまう虞もないものとなっている。
【図面の簡単な説明】
【００１０】
【図１】本発明を実施したリリース可能なアタッチ部材の斜視図である。
【図２】ロックしたループ成形状態の斜視図である。
【図３】挿し込み部を示す側面図である。
【図４】受部を示す正面図である。
【図５】図４中のＡ−Ａ線断面図である。
【図６】受部に挿し込み部を挿し込んだ状態の正面図である。
【図７】図６中のＢ−Ｂ線断面図である。
【図８】挿し込んだ状態での挿し込み部の傾倒動作を示す断面図である。
【図９】係合ロック状態を示す断面図である。
【図１０】係合ロック状態の受部と挿し込み部を示す側面図である。
【図１１】図１０中Ｃ−Ｃ線に沿った断面図である。
【図１２】図１０中Ｄ−Ｄ線に沿った断面図である。
【図１３】受部の側面図である。
【図１４】図１３中のＥ−Ｅ線に沿った端面図である。
【図１５】係合ロック状態を示す側断面図である。
【図１６】受部の変形例を示す側面図である。
【図１７】図１６中のＦ−Ｆ線に沿った端面図である。
【図１８】受部の変形例を示す斜視図である。
【図１９】正面図である。
【図２０】平面図である。
【図２１】側面図である。
【図２２】係合ロック状態を示す側面図である。
【図２３】図２２中Ｇ−Ｇ線に沿った端面図である。
【図２４】係合ロック状態を示す平面図である。
【図２５】側面図である。
【図２６】挿し込み部側から見た図である。
【図２７】受部側から見た図である。
【図２８】挿し込み部の突出長さを示す側面図である。
【図２９】側面図である。
【図３０】パドル部を備えた係合ロック状態を示す平面図である。
【図３１】側面図である。
【図３２】挿し込み部側から見た図である。
【図３３】受部側から見た図である。
【図３４】受部に表示部を設けた側を示す側面図である。
【発明を実施するための形態】
【００１１】
図面として示し、実施例で説明したように構成したことで実現した。
【実施例１】
【００１２】
次に、本発明の好ましい実施の例を図面を参照して説明する。これらの図にあって１は本発明を実施したリリース可能なアタッチ部材本体を示している。このアタッチ部材本体１はフレキシブルな素材によるループ成形材２を有しており、本実施例にあってこのループ成形材２は撚糸を想定しているが、これにこだわるものではなく、延伸加工したプラスチック等の材料を使用することもできる。
【００１３】
このアタッチ部材１のループ成形材２の一端には可塑材、それも本実施例ではプラスチックを用いて成形された挿し込み部３が一体的に備えられ、他端には、この挿し込み部３を受け入れ、係合して、ループ成形材２によるループ状態をロックし、保持する受部４が一体的に備えられている。
【００１４】
前記した挿し込み部３は全体を略円柱状とし、その基端面中央にループ成形材２の一端が一体的に連結された構成となっている。この挿し込み部３は頭部３ａの先端面を滑らかな球弧面とし、後述する受部４の受凹部への挿入作業と傾倒作業を容易なものとしている。また、この頭部３ａの基端側には全体の径よりも小径とした括れ部３ｂが形成されており、頭部３ａの基端に、係合用の段部３ｃが形成されている。
【００１５】
一方、受部４は全体として略楕球状をしており、その基端面中央にループ成形材２の他端が一体的に連結された構成となっている。この受部４は上面に、先端まで連通するスリット５を形成し、そのスリット５と連通する受入溝部６が形成されている。前記したスリット５の基端側奥位置にはそのスリット５から受入溝部６へ連通する受凹部７が形成されている。
【００１６】
また、前記したスリット５の内壁面の下端はアンダーカット８が施され、後述するように、受入溝部６に挿し込み部３が収納され、係合ロックされた状態でスリット５側へ脱落してしまうことを防止している。さらに、受凹部７の前方寄りには、前記した段部３ｃを係止するための係止部９が受入溝部６の内壁面に沿って、その受部４の軸芯方向と直交して設けられている。
【００１７】
挿し込み部３はその頭部３ａを、まず受凹部７の上面開口から受部４の軸芯方向と直交させる状態で底部分まで挿し込む。この挿し込みの際に、挿し込み部３は円柱状をし、外周面が全て同一となっているために、側面の方向性が規制されることはなく、ランダムに実施できる。
【００１８】
この挿し込みの終了後に、挿し込まれた挿し込み部３を受部４のスリット５及び受入溝部６に向けて略９０度傾倒させ（図８の矢印方向）、挿し込み部３全体を受入溝部６内に収納する。この傾倒作業によって挿し込み部３の頭部３ａの基端に形成された段部３ｃが受部４の係止部９と係合し、かつ、括れ部３ｂがこの係止部９に嵌まり、ループ成形材２方向の抜けが防止される。かつ、前記したようにアンダーカット８によってスリット５方向への脱落も防止される。また、このアンダーカット８は、傾倒作業の障害となることもあり、係止部９よりも前方位置では不要となる。
【００１９】
この傾倒作業によって、係止部９と挿し込み部３の括れ部３ｂが対応して密な当接となり、頭部３ａの段部３ｃが係止部９と係合し、その頭部３ａをはじめ挿し込み部３全体が受入溝部６の内壁面と密に当接して、この受入溝部６に収納されることとなる。尚、タグをこのアタッチ部材１で吊持する場合にはタグの吊り用透孔に挿し込み部３を挿通させてループ成形材２を通し、目的位置にループ成形材２を通し、係合ロックすることとなる。
【００２０】
また、この係合ロック状態をリリースするには、挿し込み部３を受入溝部６に沿ってスリット５方向へ略９０度回動させてやることで受凹部７から挿し込み部３を引き抜くことができ、初期状態に復元できる。
【００２１】
さらに、受部４の外表面には係合ロックやリリースの作業が行ない易いように、受入溝部６に沿って両面に摘み用凹面１０、１０が形成されている。この摘み用凹面１０、１０を形成してあることで、作業時に、受部４が指先間で位置決め固定されて、滑ることなく安定する。
【００２２】
そして、受部４には、前記した摘み用凹面１０、１０を形成することに加え、あるいはその凹面１０、１０をさらに変形させ、受入溝部６に沿った両側壁面を内面に向けて膨出させた弓なりの形状とすることもできる（図１７参照）。こうすることで受部４に弾性あるいはバネ性を持たせることができ、挿し込み部３の嵌合保持力を強化向上させることができる。
【００２３】
また、受部４の構造、特にアンダーカット８の存在については、図１０〜１２で示したように肉厚の変化で行なうほかに、図１８〜図２３として示すような構成とすることもできる。即ち、この構造は、受部４の受入溝部６に沿った両側面の下方部分に相対向する溝状の開口１１、１１を、その受部４の軸芯方向と直交する位置で形成している。この開口１１、１１と対応して係止部９が形成されると、挿し込み部３と受部４とは点接触構造となり、接触部分の摩擦が少なくなり、これによってループ成形材２が不測に引っ張られても係合ロック部分に力が作用する前にループ成形材２及び挿し込み部３が滑らかに動き、力を逃げやすくすることができる。
【００２４】
さらに、このアタッチ部材本体１は挿し込み部３と受部４との嵌合された係合ロック状態で、挿し込み部３は受部４から露呈する端部以外が全て受部４内に収納され、その受部４の包括面全体に亘って凹凸部分が存在することが、開口１１、１１を形成した場合を除きなくなり、滑面状態となっている。そのため、対象物や他のアタッチ部材やタグ等との引っ掛かりが防止され、対象物あるいはアタッチ部材本体１が傷ついてしまう虞がない。
【００２５】
そして、前記した挿し込み部３と受部４の嵌合された係合ロック状態にあって、嵌合、係合ロック部分から挿し込み部３の端部が受部４外へ露出するループ成形材２が連結されている端面までの長さＬは、挿し込み部３の全体の長さの半分以下、具体的に挿し込み部３の長さが１０ｍｍとすると、略４ｍｍの短寸とされ、さらに露出する部分の長さは全体長さの１０分の１以下、即ち１ｍｍとなる。挿し込み部３の長さ、それも嵌合、係合ロックから露出される端面までの長さが短いと、挿し込み部３に不意に衝撃や力が加わっても、梃子の原理による荷重の拡大が少なく、ループ成形材２が引っ張られても、嵌合、係合状態が外れてしまう前に、ループ成形材２が加圧方向に逃げるため、不測に係合ロックが外れてしまう虞がない。
【００２６】
また、挿し込み部３、受部４のループ成形材２との連結に挿し込み部３、受部４と同材で成形したパドル状部１２、１２を介在させることもできる。このパドル状部１２、１２は摘み部分として機能させることも意匠としての外観上の美感を向上させることもでき、このパドル状部１２、１２に対象物のデータを表示してやることも可能である。このパドル状部１２はいずれか一方のみの存在でもよくデータの表示もシールの貼付や刻設、直書きのほか、データ情報を記録したＩＣチップを備えることとしてもよい。
【００２７】
さらに、受部４の外側面には表示部１３を一体的に設けることも可能である。この表示部１３には前記したパドル状部１２と同様に対象物のデータを表示することができ、その表示にはデータを記録したＩＣチップも含まれる。そして、この表示部１３を備えることによって、場合によっては吊持すべきタグの存在を排除することも可能となり、作業性も非常に向上させることもできることとなる。
【符号の説明】
【００２８】
１    リリース可能なアタッチ部材本体
２    ループ成形材
３    挿し込み部
３ａ  頭部
３ｂ  括れ部
３ｃ  係合部
４    受部
５    スリット
６    受入溝部
７    受凹部
８    アンダーカット
９    係止部
１０  凹面
１１  開口
１２  パドル状部
１３  表示部
Ｌ    長さ
【図１】
2015007679.tif 000003
【図２】
2015007679.tif 000004
【図３】
2015007679.tif 000005
【図４】
2015007679.tif 000006
【図５】
2015007679.tif 000007
【図６】
2015007679.tif 000008
【図７】
2015007679.tif 000009
【図８】
2015007679.tif 000010
【図９】
2015007679.tif 000011
【図１０】
2015007679.tif 000012
【図１１】
2015007679.tif 000013
【図１２】
2015007679.tif 000014
【図１３】
2015007679.tif 000015
【図１４】
2015007679.tif 000016
【図１５】
2015007679.tif 000017
【図１６】
2015007679.tif 000018
【図１７】
2015007679.tif 000019
【図１８】
2015007679.tif 000020
【図１９】
2015007679.tif 000021
【図２０】
2015007679.tif 000022
【図２１】
2015007679.tif 000023
【図２２】
2015007679.tif 000024
【図２３】
2015007679.tif 000025
【図２４】
2015007679.tif 000026
【図２５】
2015007679.tif 000027
【図２６】
2015007679.tif 000028
【図２７】
2015007679.tif 000029
【図２８】
2015007679.tif 000030
【図２９】
2015007679.tif 000031
【図３０】
2015007679.tif 000032
【図３１】
2015007679.tif 000033
【図３２】
2015007679.tif 000034
【図３３】
2015007679.tif 000035
【図３４】
2015007679.tif 000036